(57)【特許請求の範囲】
【請求項１】
第一及び第二のコンバータを有した電源回路であって、
前記第一のコンバータが動作していることを検出する動作検出回路と、
この動作検出回路からの検出信号にもとづいて、前記第二のコンバータを起動又は停止させる連動制御回路とを有し、
前記第二のコンバータが、ＲＣＣ方式を採用するとともに、トランスの帰還巻線に接続されてスイッチング動作を行うスイッチング素子を有し、
前記連動制御回路が、
前記動作検出回路からの検出信号を検出する抵抗と、
この抵抗で前記検出信号が検出されるとＯＮとなり、検出されないときはＯＦＦとなる第一のトランジスタと、
この第一のトランジスタがＯＮになると前記スイッチング素子のスイッチング動作を開始させ、ＯＦＦになると前記スイッチング素子のスイッチング動作を停止させる第二のトランジスタとを有した
ことを特徴とする電源回路。
【請求項２】
前記第一のコンバータが、力率改善コンバータからなる
ことを特徴とする請求項１記載の電源回路。
【請求項３】
前記第一のコンバータが、昇圧チョークコイル用の補助巻線を有し、
前記動作検出回路が、
前記補助巻線からの交流電圧を保持するコンデンサと、
前記交流電圧を直流電圧に整流し、この直流電圧を前記検出信号として出力するダイオードとを有した
ことを特徴とする請求項１又は２記載の電源回路。
【請求項４】
前記動作検出回路が、ツェナーダイオードからなり、
前記第一のコンバータからの直流出力電圧が前記ツェナーダイオードのツェナー電圧を超過すると、前記ツェナーダイオードが、前記検出信号を出力する
ことを特徴とする請求項１又は２記載の電源回路。
【請求項５】
前記スイッチング素子が、トランジスタからなる
ことを特徴とする請求項１〜４のいずれかに記載の電源回路。
【発明の詳細な説明】
【０００１】
【発明の属する技術分野】
本発明は、電源回路に関し、特に、入力段に力率改善コンバータを搭載し、その後段にＤＣ−ＤＣコンバータを縦列に接続して、必要な直流出力電圧を得るツーコンバータ方式の電源回路に関する。
【０００２】
【従来の技術】
近年の電源回路においては、図４に示すように、入力段に第一のコンバータ（力率改善コンバータ（ＰＦＣ：Ｐｏｗｅｒ  Ｆａｃｔｏｒ  Ｃｏｎｔｒｏｌｌｅｒ））１０を搭載し、その後段に第二のコンバータ（ＤＣ−ＤＣコンバータ）２０を縦列に接続する構成によって必要な直流出力電圧を得るツーコンバータ方式の力率改善型電源回路（力率改善型ＡＣ−ＤＣ電源回路）を採用したものがある。
【０００３】
ここで、第一のコンバータ（力率改善コンバータ（ＰＦＣ））１０は、非絶縁型の昇圧チョッパ（図示せず）を用いて力率を改善しつつ、入力電圧を最大波高値より高い電圧に昇圧して、直流出力電圧を生成する。
この生成される直流出力電圧の電圧値は、ＰＦＣ制御ＩＣ１５において設定されており、このＰＦＣ制御ＩＣ１５は、交流入力電圧及び負荷電流に左右されずに、直流出力電圧を設定電圧まで昇圧する制御を行っている。
なお、ＰＦＣ回路を有する電源装置の例としては、特開昭５３−５７５５号公報に電源回路として開示されている。
【０００４】
また、第二のコンバータ（ＤＣ−ＤＣコンバータ）２０は、スイッチング素子（トランジスタ２１及び２３）でスイッチングされた直流出力電圧をトランス２８の一次側へ供給し、このトランス２８の二次側出力を整流平滑回路（平滑用コンデンサ３０）で再び直流に変換して、負荷６０に供給する。この第二のコンバータ（ＤＣ−ＤＣコンバータ）２０には、ＲＣＣ方式が採用されることが多い。
これらのような構成により、力率改善型電源回路は、一定値を示す安定した直流出力電圧を、負荷に供給することができる。
【０００５】
【発明が解決しようとする課題】
しかしながら、従来のツーコンバータ方式の電源回路においては、それら第一及び第二のコンバータが、それぞれ独立して起動／停止を行なっていた。
このため、たとえば、第一のコンバータ（力率改善コンバータ（ＰＦＣ））が何らかの原因で停止した場合は、この第一のコンバータの出力が、コンデンサインプットによる平滑された電圧となり、第二のコンバータ（ＤＣ−ＤＣコンバータ）の入力電圧にもなっていた。つまり、第一のコンバータでは力率改善が行われないものの、第二のコンバータでは、第一のコンバータからの電圧を受けながら動作し続けていた。
【０００６】
そして、この場合の第二のコンバータにおいては、入力電流が高調波電流となるため、無効電力が増加して、入力コンデンサへの負担が増大するといった事態が起こり、その結果、入力コンデンサの破損や、入力電源線の焼損等が起こる可能性があった。
また、同じＡＣ入力源に接続されている他の機器に対しては、電圧変動を生じさせるなどの悪影響を及ぼすこともあった。
【０００７】
さらに、この場合の第二のコンバータにおける入力電圧は、通常時の第一のコンバータで昇圧される電圧よりも低くなるため、第二のコンバータを設計するにあたっては、低入力電圧でも動作可能なワイドレンジの設計が必要となっていた。
このことは、第二のコンバータひいては電源回路の小型化や低コスト化の妨げともなっていた。
【０００８】
加えて、第二のコンバータがＲＣＣ方式のコンバータの場合は、入力電圧の低下にともなって発振周波数も低下するため、トランスの飽和を招き、電源の破損する危険性が高まることから、注意を要していた。
また、力率改善型電源回路の起動時において、第二のコンバータが第一のコンバータより先に起動した場合や、第一のコンバータ出力が安定出力になる前に第二のコンバータが起動した場合についても、上記と同様の障害が発生する可能性があった。
【０００９】
さらに、近年、電力設備などに悪影響を与える高調波電流の規制が強まってきている。そして、力率改善型電源回路においては、無効電力の低減による省電力化が求められてきている。
こうした中、従来の力率改善型電源回路に用いられる各コンバータを、それぞれ独立させる場合は、起動及び停止方法に充分に考慮して設計しなければならなかった。
【００１０】
本発明は、上記の事情にかんがみなされたものであり、第一及び第二のコンバータがそれぞれ独立して起動／停止していたことによる弊害を防止し、安全に各コンバータの起動／停止ができるような回路動作制御を、簡易かつシンプルな構成で可能とする電源回路の提供を目的とする。
【００１１】
【課題を解決するための手段】
この目的を達成するため、本発明の請求項１記載の電源回路は、第一及び第二のコンバータを有した電源回路であって、第一のコンバータが動作していることを検出する動作検出回路と、この動作検出回路からの検出信号にもとづいて、第二のコンバータを起動又は停止させる連動制御回路とを有し、第二のコンバータが、ＲＣＣ方式を採用するとともに、トランスの帰還巻線に接続されてスイッチング動作を行うスイッチング素子を有し、連動制御回路が、動作検出回路からの検出信号を検出する抵抗と、この抵抗で検出信号が検出されるとＯＮとなり、検出されないときはＯＦＦとなる第一のトランジスタと、この第一のトランジスタがＯＮになるとスイッチング素子のスイッチング動作を開始させ、ＯＦＦになるとスイッチング素子のスイッチング動作を停止させる第二のトランジスタとを有した構成としてある。
【００１２】
電源回路をこのような構成とすると、第一のコンバータの起動又は停止にもとづいて、第二のコンバータを起動又は停止することができるため、それら第一及び第二のコンバータが、それぞれ独立して起動／停止を行うときに生じていた弊害を防止できる。
たとえば、第一のコンバータが何らかの原因で動作停止した場合に、この第一のコンバータでコンデンサインプットにより平滑された電圧が、第二のコンバータで入力されることで、第一のコンバータにおける力率改善がなされないまま、第二のコンバータが動作するという弊害を防止できる。
【００１３】
さらに、第一のコンバータの停止時における第二のコンバータの入力電流が高調波電流となることで、無効電力が増加し、入力コンデンサへの負担が増大するといった欠点を解消できる。そして、その結果、入力コンデンサの破損、入力電源線の焼損等の発生を回避できる。
また、同じ入力源に接続されている機器の電圧変動を防止して、悪影響をなくすことができる。
【００１４】
加えて、第一のコンバータが停止すると第二のコンバータも停止するため、この第二のコンバータの入力電圧が第一のコンバータで昇圧される電圧よりも低くなることを考慮して、第二のコンバータをワイドレンジの設計にする必要がなくなる。したがって、第二のコンバータひいては電源回路の小型化・低コストが可能となる。
さらに、第二のコンバータの入力電圧及び発振周波数の低下が回避されるため、その第二のコンバータがＲＣＣ方式のコンバータの場合においても、トランスの飽和が起きず、電源が破損する危険性を抑止することができる。
【００１５】
そして、第一のコンバータの起動又は停止と、第二のコンバータの起動又は停止との同期がとられるため、第二のコンバータが第一のコンバータより先に起動した場合や、第一のコンバータ出力が安定出力になる前に第二のコンバータが起動した場合に生じる障害についても、その発生をくい止めることができる。
【００１６】
さらに、近年の電力設備などにおける高調波電流の規制に対処でき、また、無効電力の低減による省電力化も実現できる。
そして、電源回路に用いられる各コンバータについては、それぞれ起動及び停止方法を考慮して複雑化しなくても、簡易な回路構成で設計することができる。
【００１７】
また、連動制御回路が、第二のコンバータに設けられたスイッチング素子を制御することにより、第一のコンバータの起動／停止と連動させて第二のコンバータを起動／停止することができる。したがって、第一及び第二のコンバータがそれぞれ独立して起動／停止していたことによる弊害を防止できる。
【００１８】
また、請求項２記載の電源回路は、第一のコンバータが、力率改善コンバータからなる構成としてある。
電源回路をこのような構成とすれば、第一のコンバータが力率改善コンバータで構成されている場合であっても、この第一のコンバータが動作していることを検出し、この検出にもとづいて、第二のコンバータを起動／停止することができる。このため、第一及び第二のコンバータがそれぞれ独立して起動／停止を行うことで生じる弊害を防止できる。
【００１９】
また、請求項３記載の電源回路は、第一のコンバータが、昇圧チョークコイル用の補助巻線を有し、動作検出回路が、補助巻線からの交流電圧を保持するコンデンサと、交流電圧を直流電圧に整流し、この直流電圧を検出信号として出力するダイオードとを有した構成としてある。
電源回路をこのような構成とすると、第一のコンバータが動作しているときに発生する、昇圧チョークコイルの補助巻線からの交流電圧を、動作検出回路において検出することができる。
【００２０】
つまり、動作検出回路は、昇圧チョークコイルの補助巻線からの交流電圧を検出することで、第一のコンバータが動作していることを捉えることができる。
このため、動作検出回路からの検出信号にもとづいて、第二のコンバータを起動／停止することで、第一及び第二のコンバータがそれぞれ独立して起動／停止を行うことで生じる弊害を防止できる。
【００２１】
また、請求項４記載の電源回路は、動作検出回路が、ツェナーダイオードからなり、第一のコンバータからの直流出力電圧がツェナーダイオードのツェナー電圧を超過すると、ツェナーダイオードが、検出信号を出力する構成としてある。
電源回路をこのような構成とすれば、動作検出回路として設けられたツェナーダイオードは、第一のコンバータからの直流出力電圧がツェナー電圧よりも高い値を示すときに、出力電流を検出信号として出力することができる。
【００２２】
このため、ツェナーダイオードで構成される動作検出回路は、第一のコンバータから出力される直流出力電圧を検出することで、第一のコンバータが動作しているか否かを捉えることができる。
そして、この動作検出回路からの検出信号にもとづき、第二のコンバータの起動／停止を連動制御することで、第一及び第二のコンバータがそれぞれ独立して起動／停止していたことによる弊害を防止できる。
【００２３】
また、請求項５記載の電源回路は、スイッチング素子が、トランジスタからなる構成としてある。
電源回路をこのような構成とすれば、スイッチング素子として設けられたトランジスタにより、第二のコンバータを起動／停止することができる。
したがって、この場合においても、第一及び第二のコンバータがそれぞれ独立して起動／停止していたことによる弊害を防止できる。
【００２４】
【発明の実施の形態】
以下、本発明の実施の形態について、図面を参照して説明する。
［第一実施形態］
まず、本発明の電源回路の第一の実施形態について、図１を参照して説明する。
同図は、本実施形態の電源回路の構成を示す回路構成図である。
【００２５】
同図に示すように、電源回路１は、第一のコンバータ（力率改善コンバータ（ＰＦＣ））１０と、第二のコンバータ（ＤＣ−ＤＣコンバータ）２０と、ＡＣ入力源４０と、ブリッジ整流ダイオード５０と、負荷６０と、動作検出回路７０と、連動制御回路８０とを有している。
ここで、第一のコンバータ（力率改善コンバータ（ＰＦＣ））１０（以下、単に、第一のコンバータ１０という）は、ブリッジ整流ダイオード５０からの直流入力電圧を昇圧し、直流出力電圧として第二のコンバータ（ＤＣ−ＤＣコンバータ）２０（以下、単に、第二のコンバータ２０という）へ送る。
【００２６】
また、第一のコンバータ１０は、コンデンサ１１と、昇圧チョークコイル１２と、昇圧チョークコイル用補助巻線１３と、抵抗１４と、ＰＦＣ制御ＩＣ１５と、トランジスタ１６と、ダイオード１７と、平滑用コンデンサ１８とを有している。
さらに、第一のコンバータ１０は、非絶縁型の昇圧チョッパ（図示せず）を用いて力率の改善を図っている。
【００２７】
ＰＦＣ制御ＩＣ１５は、ＡＣ入力源４０からの交流入力電圧を、この交流入力電圧の最大波高値より高い電圧（設定電圧）まで昇圧して、直流出力電圧を生成する制御を行う。
また、ＰＦＣ制御ＩＣ１５は、ゼロ電流検出回路（図示せず）を有している。
【００２８】
ゼロ電流検出回路とは、昇圧チョークコイル用補助巻線１３からの交流電圧にもとづいて、昇圧チョークコイル１２の電流がゼロになったことを検出する回路をいう。このゼロ電流検出回路は、第一のコンバータ１０が、自励発振を応用した臨界モードでスイッチング動作を行っていることから必要とされる。
【００２９】
第二のコンバータ２０は、トランジスタ２１と、抵抗（起動抵抗）２２と、トランジスタ２３と、コンデンサ２４と、抵抗２５と、コンデンサ２６と、抵抗２７と、トランス２８と、トランジスタ２９と、平滑用コンデンサ３０とを有している。
この第二のコンバータ２０は、第一のコンバータ１０からの直流出力電圧を必要な電圧に変換して、負荷６０に供給する。この第二のコンバータ２０には、ＲＣＣ方式を採用することができる。
【００３０】
ところで、平滑用コンデンサ１８は、第一のコンバータ１０の平滑用であり、生成された直流出力電圧は、第二のコンバータ２０の入力源となる。したがって、第二のコンバータ２０の入力平滑用コンデンサでもある。
また、平滑用コンデンサ３０は、トランス２８の二次側電圧を平滑化し、直流出力電圧として負荷６０へ供給する。
【００３１】
出力保持時間は、これら平滑用コンデンサ１８，３０の容量による放電時間及び、出力負荷電流に大きく左右される。
この出力保持時間は、一般的に、平滑用コンデンサ３０の放電時間よりは、負荷６０に印加される出力電圧に比べ数倍に昇圧した高い電圧を平滑している平滑用コンデンサ１８の放電時間が支配的で、このコンデンサの容量で必要な出力保持時間が確保されるように設定される。通常、要求される規格として定格負荷状態で２０ｍｓ以上であるが、要求を満足するために平滑用コンデンサ１８の容量は、充分に大きな値となる。
【００３２】
ところが、無負荷状態で停止した場合は、平滑用コンデンサ１８に充電された電荷の放電が緩やかなため、ＡＣ入力源４０をＯＦＦにしても、第二のコンバータ２０が長い間動作し続け、出力電圧が保持された状態が長く続き、コンデンサ容量によっては数十秒となることがある。
【００３３】
つまり、入力スイッチをＯＦＦにしても出力電圧が長い間発生するため、安全性の面から取扱いに注意が必要となる。
そこで、動作検出回路７０及び連動制御回路８０を設けることにより、これら回路で使用しているコンデンサ７１及びコンデンサ８３の容量で、第一のコンバータ１０及び第二のコンバータ２０の起動時間及び停止時間を任意に設定できる。すなわち、出力保持時間の調整が可能かつ容易となる。したがって、軽負荷においても任意の時間に第二のコンバータ２０を停止させることが可能となり、取扱いの安全性を高めることができる。
【００３４】
ＡＣ入力源４０には、交流の商用電源を用いることができる。
ブリッジ整流ダイオード５０は、ＡＣ入力源４０からの交流電圧を整流して、第一のコンバータ１０へ供給する。
なお、本発明において整流とは、交流を直流に変換することをいい、これら交流及び直流には、電流及び電圧が含まれるものとする。
【００３５】
動作検出回路７０は、コンデンサ７１と、整流用ダイオード７２とを有している。
コンデンサ７１は、昇圧チョークコイル１２の補助巻線１３で発生した交流電圧を保持する。
整流用ダイオード７２は、補助巻線１３に発生した交流電圧を整流する。この整流により得られた直流電圧は、連動制御回路８０で検出される。
【００３６】
連動制御回路８０は、抵抗８１及び８２と、コンデンサ８３と、トランジスタ８４及び８５と、抵抗８６及び８７とを有している。
抵抗（動作検出回路接続抵抗）８１は、動作検出回路７０と接続されており、抵抗８１及び８２は、動作検出回路７０の整流用ダイオード７２で整流された電圧（直流電圧）を検出する。
コンデンサ８３は、抵抗８１及び８２で検出された直流電圧を保持する。
【００３７】
トランジスタ８４は、抵抗８１及び８２で直流電圧が検出されるとＯＮとなり、検出されないとＯＦＦとなる。
このトランジスタ８４がＯＮ／ＯＦＦ動作することで、第二のコンバータ２０は、第一のコンバータ１０の動作に同期して起動及び停止することが可能となる。
【００３８】
トランジスタ８５は、トランジスタ８４がＯＮになるとＯＦＦとなる。このとき、トランジスタ２１のゲートには、起動抵抗２２を介して起動電圧が発生するため、第二のコンバータ２０は、スイッチング動作を開始する。
一方、トランジスタ８５は、トランジスタ８４がＯＦＦになるとＯＮとなる。このとき、トランジスタ２１のゲートには、起動電圧が発生しないため、第二のコンバータ２０は、スイッチング動作を停止する。
【００３９】
電源回路をこのような構成とすることで、昇圧チョークコイルの補助巻線における交流電圧の発生／停止にもとづいて、第二のコンバータを起動／停止させることができる。。
つまり、本実施形態によれば、第一及び第二のコンバータにおける起動／停止をそれぞれ連動させて動作させることができるため、負荷への直流出力電圧を、簡易な回路構成で、安全に供給することができる。
【００４０】
次に、本実施形態の電源回路の動作について、図１及び図２を参照して説明する。
図２は、本実施形態の電源回路の昇圧チョークコイル用補助巻線で発生する交流電圧の変化を示すグラフである。
【００４１】
第一のコンバータ１０が動作している場合、昇圧チョークコイル１２の補助巻線１３においては、図２（ａ）に示すような交流電圧が発生する。
この交流電圧が動作検出回路７０で検出され、整流用ダイオード７２で整流され、この得られた直流電圧が、連動制御回路８０の抵抗８１と抵抗８２で検出される。
【００４２】
抵抗８１及び８２における直流電圧の検出にもとづいて、トランジスタ８４がＯＮになって、トランジスタ８５がＯＦＦとなる。
そうすると、トランジスタ２１のゲートには、起動抵抗２２を介して起動電圧が発生し、第二のコンバータ２０は、スイッチング動作を開始して起動する。
【００４３】
一方、第一のコンバータ１０が停止した場合、補助巻線１３においては、図２（ｂ）に示すように、交流電圧が発生しない。
このため、動作検出回路７０では、補助巻線１３における交流電圧を検出することができないため、検出信号は出力されない。
【００４４】
そして、連動制御回路８０の抵抗８１及び８２においても、検出信号が検出されないことから、トランジスタ８４はＯＦＦとなって、トランジスタ２１がＯＮとなる。
すると、トランジスタ２１はＯＦＦとなって、第二のコンバータ２０は、スイッチング動作を停止する。
【００４５】
なお、トランジスタ８４のゲート・ソース間に設けられた時定数用のコンデンサ８３及びコンデンサ７１の容量を変えることにより、起動時間及び停止時間を任意に設定できる。
すなわち、出力保持時間の調整が可能かつ容易となる。
【００４６】
［第二実施形態］
次に、本発明の電源回路の第二の実施形態について、図３を参照して説明する。
同図は、本実施形態の電源回路の構成を示す回路構成図である。
本実施形態は、第一実施形態と比較して、動作検出回路の構成及び検出対象が相違する。すなわち、第一実施形態では、動作検出回路に整流用ダイオード及びコンデンサを用い、補助巻線で発生した交流電圧を検出対象としたのに対し、本実施形態では、動作検出回路にツェナーダイオードを用い、第一のコンバータからの直流出力電圧を検出対象とする点で異なる。他の構成要素は第一実施形態と同様である。
したがって、図３において、図１と同様の構成部分については同一の符号を付して、その詳細な説明を省略する。
【００４７】
図３に示すように、電源回路１は、第一のコンバータ１０と、第二のコンバータ２０と、ＡＣ入力源４０と、ブリッジ整流ダイオード５０と、負荷６０と、動作検出回路７０と、連動制御回路８０とを有している。
ここで、動作検出回路７０は、ツェナーダイオード７３を有している。
ツェナーダイオード７３は、第一のコンバータ１０からの直流出力電圧がツェナー電圧を超過したときに、直流電流（検出信号）を出力する。また、ツェナーダイオード７３は、第一のコンバータ１０からの直流出力電圧がツェナー電圧を超過していないときは、直流電流（検出信号）を出力しない。
【００４８】
連動制御回路８０は、抵抗８１及び８２と、コンデンサ８３と、トランジスタ８４及び８５と、抵抗８６及び８７とを有している。
抵抗（動作検出回路接続抵抗）８１は、ツェナーダイオード７３と接続されており、この抵抗８１には、動作検出回路７０（ツェナーダイオード７３）からの検出信号（直流電流）が流れる。
【００４９】
トランジスタ８４は、抵抗８１に直流電流が流れる（検出信号が検出される）ことにより、ＯＮとなる。
また、トランジスタ８４は、抵抗８１に直流電流が流れていない（検出信号が検出されていない）ときには、ＯＦＦとなる。
【００５０】
トランジスタ８５は、トランジスタ８４がＯＮになると、ＯＦＦとなる。このとき、トランジスタ２１のゲートには、起動抵抗２２を介して起動電圧が発生するため、第二のコンバータ２０は、スイッチング動作を開始する。
一方、トランジスタ８５は、トランジスタ８４がＯＦＦになると、ＯＮとなる。このとき、トランジスタ２１のゲートには、起動電圧が発生しないため、第二のコンバータ２０は、スイッチング動作を停止する。
【００５１】
電源回路をこのような構成とすることで、第一実施形態における電源回路に比べ、より簡易な回路構成で、第一及び第二のコンバータのそれぞれの起動／停止動作を連動させることができる。
また、本実施形態の構成は、昇圧コイルの補助巻線を必要としないため、連続モードで動作するＰＦＣ回路など、あらゆるＰＦＣ回路においても応用可能である。
【００５２】
【発明の効果】
以上のように、本発明によれば、簡易な回路構成で、第一のコンデンサ（力率改善コンバータ（ＰＦＣ））と、第二のコンバータ（ＤＣ−ＤＣコンバータ）との起動／停止を同期させることができる。
このため、第一及び第二のコンバータがそれぞれ独立して起動／停止を行うことで生じていた弊害を防止することができる。さらに、直流出力電圧を、安全に負荷へ供給することができる。
【図面の簡単な説明】
【図１】本発明の第一実施形態の電源回路についての構成を示す回路構成図である。
【図２】昇圧チョークコイルの補助巻線で発生する交流電圧の変化を示すグラフである。
【図３】本発明の第二実施形態の電源回路についての構成を示す回路構成図である。
【図４】従来の電源回路の構成を示す回路構成図である。
【符号の説明】
１  電源回路
１０  第一のコンバータ（力率改善コンバータ（ＰＦＣ））
１１  コンデンサ
１２  昇圧チョークコイル
１３  昇圧チョークコイル用補助巻線
１４  抵抗
１５  ＰＦＣ制御ＩＣ
１６  トランジスタ
１７  ダイオード
１８  平滑用コンデンサ
２０  第二のコンバータ（ＤＣ−ＤＣコンバータ）
２１  トランジスタ
２２  抵抗（起動抵抗）
２３  トランジスタ
２４  コンデンサ
２５  抵抗
２６  コンデンサ
２７  抵抗
２８  トランス
２９  トランジスタ
３０  平滑用コンデンサ
４０  ＡＣ入力源
５０  ブリッジ整流ダイオード
６０  負荷
７０  動作検出回路
７１  コンデンサ
７２  整流用ダイオード
７３  ツェナーダイオード
８０  連動制御回路
８１  抵抗（動作検出回路接続抵抗）
８２  抵抗
８３  コンデンサ
８４  トランジスタ
８５  トランジスタ
８６  抵抗
８７  抵抗
【図１】
0004190795.tif 000002
【図２】
0004190795.tif 000003
【図３】
0004190795.tif 000004
【図４】
0004190795.tif 000005